(57)【要約】      （修正有）【課題】筐体に衝撃荷重が加わったような場合でも、表示装置に捩れが生じない電子機器を提供する。【解決手段】表示装置２２と、表示装置２２を保護する弾性材質から成る保護部材４２と、表示装置２２の表示領域を外部から視認するための表示窓部３２が形成された筐体２０と、を有し、保護部材４２には、表示装置２２の表示領域を有する面と対向する底壁と、該底壁を囲むように形成される側壁４６と、底壁に表示装置２２の表示領域を視認するための開口部と、該開口部の周縁の所定の位置に側壁４６と平行に突出する突起部５０が形成されており、表示装置２２は、保護部材４２の底壁と側壁４６で囲まれる空間に収納され、かつ保護部材４２の突起部５０が表示窓部３２の周縁に当接するように固定されるようにした。【選択図】図６
2005292188.tif 000002
【特許請求の範囲】
【請求項１】
表示装置と、
該表示装置を保護する弾性材質から成る保護部材と、
前記表示装置の表示領域を外部から視認するための表示窓部が形成された筐体と、を有し、
前記保護部材には、前記表示装置の前記表示領域を有する面と対向する底壁と、該底壁を囲むように形成される側壁と、前記底壁に前記表示装置の表示領域を視認するための開口部と、該開口部の周縁の所定の位置に側壁と平行に突出する突起部が形成されており、
前記表示装置は、前記保護部材の底壁と側壁で囲まれる空間に収納され、かつ前記保護部材の前記突起部が前記表示窓部の周縁に当接するように固定されていることを特徴とする電子機器。
【請求項２】
前記開口部は矩形状を有し、前記突起部は、前記開口部の各辺における略中央の位置に形成されていることを特徴とする請求項１に記載の電子機器。
【請求項３】
前記保護部材は、前記底壁に前記開口部及び前記突起部を囲んで前記突起部よりも高く、かつ前記側壁と平行に突出する周壁部が形成され、
前記周壁部は、前記突起部が前記表示窓部の周縁と当接するときに、前記表示窓部の周縁に撓んで当接することを特徴とする請求項１又は請求項２に記載の電子機器。
【発明の詳細な説明】
【技術分野】
【０００１】
本発明は、筐体内に液晶デバイス等の表示装置を備える電子機器に関するものであって、詳しくは筐体が衝撃等を受けたときに表示装置に伝わる荷重を吸収するための弾性材質から成る保護部材を有する電子機器に関するものである。
【背景技術】
【０００２】
従来において、図７に示すように、液晶パネル２と、この液晶パネル２を支持する支持部材４を備える液晶表示装置６が、ウレタンゴム等の弾性材質の保護部材８を介して、筐体１０に固定されるような構造の電子機器１２があった（例えば、特許文献１参照）。
【０００３】
支持部材４は枠形状になっていて、液晶パネル２の周縁を支持するようになっていた。また、保護部材８は、液晶パネル２に対応する底壁８ａと、この底壁の外形を囲むように形成された側壁８ｂ及びその内側に側壁８ｂと平行に形成された側壁８ｃを有して、側壁８ｂと側壁８ｃの間に支持部材４の枠形状に対応する溝部８ｄが形成されるようになっていた。
【０００４】
筐体１０には、この保護部材８に対応する凹部１４が、一定深さを有するように形成されていて、保護部材８は、その底壁８ａが凹部１４の底面１４ａ全体に当接して収納されるので、筐体１０の落下等により支持部材４と筐体１０との間に衝撃荷重が加わったような場合には、保護部材８はその底壁８ａの全面で荷重を吸収するようになっていた。
【０００５】
また、前記特許文献１の電子機器とは別に、液晶表示装置を有する電子機器として、携帯電話機があった。図８は、このような携帯電話機１８の中の筐体２０と、この筐体２０の内部に配置される液晶表示装置２２を示す図である。
【０００６】
筐体２０には、その内側面２０ａに、液晶表示装置２２を収納する収納部３０が設けられており、この収納部３０の側壁３０ａは、液晶表示装置２２を囲んで収納するように形成されていた。
【０００７】
また、液晶表示装置２２は、液晶パネルを有していて、その表示面が筐体２０側（図中下側）を向くように配置されており、筐体２０には、この液晶表示装置２２の液晶パネルにおける表示領域に対応する表示窓部３２が形成されていた。
【０００８】
保護部材２６は、ウレタンゴム等の弾性材質の素材が用いられ、その外形が液晶表示装置２２とほぼ同じであって、液晶表示装置２２の液晶パネルにおける表示領域に対応する開口部３４が形成されており、一定の厚さを有していた。
【０００９】
そして、液晶表示装置２２と保護部材２６は、筐体２０の収納部３０に収納され、その液晶パネルと反対側に回路基板２８が配置されるようになっていた。落下等により筐体２０が衝撃荷重を受けたような場合には、筐体２０と液晶表示装置２２の間の保護部材２６が、その全面で、液晶表示装置２２に伝わる荷重を吸収するようになっていた。
【特許文献１】特開平８−２６２４１４号公報
【発明の開示】
【発明が解決しようとする課題】
【００１０】
しかしながら、前記特許文献１のような電子機器は、その保護部材における底壁の全面で衝撃荷重を吸収するようになっているが、衝撃荷重を受ける角度等の影響により実際には荷重が均一に伝わらないで、液晶表示装置の支持部材の四隅のいずれかに荷重が集中してしまうことが多かった。そのため、この支持部材の四隅のいずれかが厚さ方向に曲がることにより、液晶表示装置に捩れが生じてしまい、表示パネルが破損するおそれがあるという問題があった。
【００１１】
また、前記従来の携帯電話機においても、筐体と液晶表示装置の間の保護部材が、その全面で衝撃荷重を吸収するようになっていたが、前記特許文献１の電子機器と同様に、実際には荷重は均一に伝わらないで、液晶表示装置の四隅のいずれかに荷重が集中してしまうことが多かった。そのため、この液晶表示装置の四隅のいずれかが厚さ方向に曲がることにより、液晶表示装置に捩れが生じてしまい、その表示パネルの部分を破損するおそれがあるという問題があった。
【００１２】
そこで本発明は、上記問題点に鑑みて、筐体に衝撃荷重が加わったような場合でも、表示装置に捩れが生じない電子機器を提供することを課題とするものである。
【課題を解決するための手段】
【００１３】
上記課題を解決するために本発明は、
表示装置と、
該表示装置を保護する弾性材質から成る保護部材と、
前記表示装置の表示領域を外部から視認するための表示窓部が形成された筐体と、を有し、
前記保護部材には、前記表示装置の前記表示領域を有する面と対向する底壁と、該底壁を囲むように形成される側壁と、前記底壁に前記表示装置の表示領域を視認するための開口部と、該開口部の周縁の所定の位置に側壁と平行に突出する突起部が形成されており、
前記表示装置は、前記保護部材の底壁と側壁で囲まれる空間に収納され、かつ前記保護部材の前記突起部が前記表示窓部の周縁に当接するように固定されていることを特徴とするものである。
【００１４】
また、本発明による電子機器は、前記開口部が矩形状を有し、前記突起部は、前記開口部の各辺における略中央の位置に形成されていることを特徴とするものである。
【００１５】
また、本発明による電子機器は、
前記保護部材の前記底壁に前記開口部及び前記突起部を囲んで前記突起部よりも高く、かつ前記側壁と平行に突出する周壁部が形成され、
前記周壁部は、前記突起部が前記表示窓部の周縁と当接するときに、前記表示窓部の周縁に撓んで当接することを特徴とするものである。
【発明の効果】
【００１６】
このような本発明の電子機器によれば、筐体に衝撃荷重が加わったような場合でも、表示装置に捩れが生じないようにすることができる。
【発明を実施するための最良の形態】
【００１７】
以下、本発明に係る電子機器の実施の形態について、図面に基づいて具体的に説明する。
【００１８】
図１ないし図６は、本発明の一実施の形態に係る携帯電話機４０（電子機器に相当）について説明するために参照する図である。これらの図に示す携帯電話機４０について、従来の携帯電話機１８と同様の部分には同じ符号を付して説明し、従来と同様の構成についての重複する説明は省略するものとする。
【００１９】
図１に示すように、携帯電話機４０は、その筐体２０の内部に、液晶表示装置２２、回路基板２８及び保護部材４２等を収納する。保護部材４２は、ウレタンゴム等の弾性材質の素材が用いられて形成されており、液晶表示装置２２における後述の液晶パネル２２ａを有する面に対応する底壁４４、及びこの底壁４４の外形を囲むように形成される一定高さの側壁４６を有しており、底壁４４と側壁４６で囲まれる空間に液晶表示装置２２を収納するようになっている。
【００２０】
また、図２に示すように、保護部材４２の底壁４４には、液晶表示装置２２の液晶パネル２２ａの表示領域を視認するための略矩形の開口部４８が形成されている。そして、図１に示すように、保護部材４２は、液晶表示装置２２を収納した状態で、筐体２０の収納部３０に収納されるようになっている。
【００２１】
図２に示すように、保護部材４２の底壁４４には、その略矩形の開口部４８の周縁であって各辺における略中央の位置に、側壁４６の延出方向と平行して筐体２０方向に突出する突起部５０が形成されている。
【００２２】
図３に示すように、この突起部５０は、略矩形に形成された開口部４８における各辺の長さ方向に一定の長さを有すると共に、図４に示すように、突出方向の先端面が平らに形成されている。
【００２３】
また、図３に示すように、保護部材４２の底壁４４には、開口部４８及び突起部５０を囲む周壁部５２が形成されている。この周壁部５２は、図４に示すように、その長さ方向に直角の断面が、側壁４６と平行して突出するような形状になっていて、突起部５０よりも、図中の寸法α分だけ高く形成されており、また、周壁部５２の突出方向の先端面は、突起部５０の先端面よりも面積が小さく形成されていて、先端面に力を加えると撓むようになっている。
【００２４】
図５に示すように、液晶表示装置２２及び保護部材４２は、この携帯電話機４０を組立てる際に、保護部材４２に液晶表示装置２２が収納された状態で、筐体２０の収納部３０に嵌入される（図５中、矢印Ｂ）。
【００２５】
そして、図６に示すように、液晶表示装置２２は、保護部材４２の突起部５０が筐体２０の表示窓部３２の周縁に当接するように、筐体２０の内部に固定される。また、周壁部５２は、表示窓部３２の周縁に撓んで当接する。
【００２６】
このような本実施の形態に係る携帯電話機４０によれば、落下等により筐体２０が衝撃荷重を受け、液晶表示装置２２の四隅のいずれかに荷重が集中した場合でも、筐体２０と液晶表示装置２２との間に設けられた突起部５０によって荷重が加わった隅と対向する隅に力を逃がす作用が働くため、荷重が加わった隅が厚さ方向に曲がることを防ぐことができ、これによって、液晶表示装置２２に捩れが生じて破損することを防ぐことができる。
【００２７】
また、周壁部５２は、筐体２０における表示窓部３２の周縁に撓んで当接するので、外部の埃や塵が、突起部５０と底壁４４との間にできる隙間から表示窓部３２の内部に侵入することを防止することができる。
【００２８】
また、保護部材４２の突起部５０は、その先端面が平らに形成されているので、筐体２０における表示窓部３２の周縁に、安定して当接するようになっている。
【００２９】
なお、本実施の形態においては、本発明を携帯電話機４０に適用した場合について説明したが、本発明は、表示装置を備えるような、携帯電話機以外の他の電子機器、例えば、ＰＤＡ（Ｐｅｒｓｏｎａｌ  Ｄｉｇｉｔａｌ  Ａｓｓｉｓｔａｎｔ）や携帯型ゲーム機等にも適用することができることはいうまでもない。
【００３０】
また、本実施の形態においては、最良の形態として突起部５０が保護部材４２の開口部４８の各辺における略中央の位置に形成された例を説明したが、これに限定されるものではなく、例えば、開口部４８の各辺のうち任意の３辺のそれぞれの略中央の位置に形成してもよい。
【図面の簡単な説明】
【００３１】
【図１】本発明の一実施の形態に係る携帯電話機４０の筐体２０、液晶表示装置２２、回路基板２８及び保護部材４２を示す斜視図である。
【図２】図１に示す筐体２０、液晶表示装置２２、回路基板２８及び保護部材４２を異なる角度から見た斜視図である。
【図３】図１に示す保護部材４２の背面図である。
【図４】図３に示す保護部材４２のＡ−Ａ矢視の拡大断面図である。
【図５】図１に示す筐体２０、液晶表示装置２２及び保護部材４２であって、筐体２０に対し、液晶表示装置２２及び保護部材４２が取付けられる直前を示す拡大断面図である。
【図６】図１に示す筐体２０、液晶表示装置２２及び保護部材４２であって、筐体２０に対し、液晶表示装置２２及び保護部材４２が取付けられたものを示す拡大断面図である。
【図７】従来の電子機器１２を示す斜視図である。
【図８】従来の携帯電話機１８の筐体２０、液晶表示装置２２、保護部材２６及び回路基板２８を示す斜視図である。
【符号の説明】
【００３２】
２  液晶パネル
４  支持部材
６  液晶表示装置
８  保護部材
１２  電子機器
１４  凹部
１４ａ  底面
１８  携帯電話機
２０  筐体
２０ａ  内側面
２２  液晶表示装置
２２ａ  液晶パネル
２６  保護部材
２８  回路基板
３０  収納部
３０ａ  側壁
３２  表示窓部
３４  開口部
４０  携帯電話機
４２  保護部材
４４  底壁
４６  側壁
４８  開口部
５０  突起部
５２  周壁部
【図１】
2005292188.tif 000003
【図２】
2005292188.tif 000004
【図３】
2005292188.tif 000005
【図４】
2005292188.tif 000006
【図５】
2005292188.tif 000007
【図６】
2005292188.tif 000008
【図７】
2005292188.tif 000009
【図８】
2005292188.tif 000010